(57)【特許請求の範囲】
【請求項１】
構造要素に間柱アセンブリを連結するスリップトラック・アセンブリであって、前記間柱アセンブリは不燃性主部材が取り付けられる複数の間柱を有し、前記間柱と前記主部材が構造要素から間隔を空けて配置され、前記スリップトラック・アセンブリは：
互いに段違いにされた平行な第１と第２の表面を持ち、前記間柱と共に用いられる場合、前記第１と第２の表面は前記間柱の共通する側面上に配置されるスリップトラック機構であって、前記機構は、前記共通する側面とは反対の側面上に第３の表面を含み、前記第３の表面と、前記第１および第２の表面の一方とは、前記間柱がそれら両面の間で動けるように離間しており、前記機構は、前記間柱の両側面から延びると共に前記構造要素に締着するように編成された直交面を更に含むスリップトラック機構；
不燃性二次部材；および
前記二次部材が構造要素に隣接する端部を持つことができるとともに、据付時、前記二次部材が前記主部材に対して摺動可能であるように、前記二次部材を前記第２の表面へ取り付けるための手段；
を備えており、
据付後、前記スリップトラック機構の前記第１および第２の表面と、前記二次部材とが、前記主部材に対して、前記構造要素と前記間柱アセンブリ間で摺動可能な防火バリヤ連結部を提供する、スリップトラック・アセンブリ。
【請求項２】
スタッドアセンブリと共に使用する耐火性連結ジョイントであって、
前記スタッドアセンブリへ、摺動可能に連結されるように成したスリップトラックであって、実質的に平行な第１と第２の表面を含み、前記第１と第２の表面は互いに段違いに成され、前記スリップトラックは、前記第２の表面に対し横断方向に整合された直交面を含み、前記直交面は、構造要素に連結されたスリップトラック；
前記構造要素に当接し、前記第２の表面に固定される耐火性二次部材；および
前記二次部材と摺動関係を持つように成した耐火性の第１の主部材であって、前記第１の主部材は前記第１の表面と摺動可能に係合し、前記第１の主部材と前記構造要素とは共同してそれらの間内に隙間を画成して前記第１の主部材が前記二次部材に対して摺動するスペースを提供し、前記第１の主部材と前記二次部材とは、前記第１の主部材と前記二次部材が互いに相対的に摺動するときに耐火性バリヤが維持されるように、互いにオーバーラップして編成されて構成される第１の主部材、
を備えたことを特徴とする耐火性連結ジョイント。
【発明の詳細な説明】
発明の分野
本発明は、一般的には建設の分野に関し、より詳細には、防火バリヤ連結部に関する。
発明の背景
建築家と仕様書作成者の間では、防火格付け隔壁の使用を通じて公衆を保護するニーズに対する認識が高まってきているようである。法規制当局も消防条令を、より果敢に執行し、防火壁の構造に必要な多くの細部に一層周到な注意を払っている。当局は、防火格付け隔壁が、意図する通りに働くことを保証するために、これらの措置を講じている。建築条令は通常、壁と、壁と屋根その他の上部構造体との間の連結部と、について、１時間、２時間、またはその他何時間かの期間の防火格付け(fireproof ratings)を要件にしている．
代表的な壁対屋根の連結部は、Ｕ字形トラックの両脚間で間柱を受容する逆Ｕ字形の長手スリップトラックである。ウォールボード（壁板）が、間柱の少なくとも片側に取り付けられる。スリップトラックの脚の一方は、間柱とウォールボードの間に受容される。間柱とウォールボードは、壁に対する上部構造体つまり屋根の沈下安定(settling)その他の動きを許すために、上部構造体つまり屋根からは間隔が空いている。ウォールボードと上部構造体の間のスペースで、スリップトラックのすぐ隣りに、コーキングが施される。コーキングとウォールボードは適切な防火格付けを持つ。
この代表的な連結部に伴う問題は、コーキングが高価なばかりでなく、上部構造体の沈下の間に硬化してクラックが入る性向も持つ点である。コーキングはその後、砕け散って隙間を残す。建物の動きに伴う同じ問題が、垂直と水平方向に整合された防火格付けウォールボード連結部で発生する。例えば、建物の動きは、間柱壁内のウォールボードの連続するシート間の垂直方向継目にマイナスの影響を与える。建物の動きは、間柱壁と、内部壁や外部壁や床アセンブリ等の従来の構造要素との間に作られる実質的に垂直な連結部における要因でもある。
発明の概要
本発明は、間柱アセンブリと構造要素とを連結するためのスリップトラック・アセンブリに関する。このスリップトラック・アセンブリは、間柱アセンブリの間柱（スタッド）の、共通する側面上に互いに段違いにされた平行な第１と第２の表面を持つスリップトラックを含む。トラックは、間柱の反対の側面上に第３の表面も含む。トラックは、それらの表面のうち二つの表面の間に延びる直交面を持つので、その直交面を構造要素に締着することができる。スリップトラック・アセンブリは更に、不燃性二次部材を含むとともに、スリップトラックの第２の表面に二次部材を取り付けるための機構を含む。この二次部材は、構造要素に隣接する端部を持ち、間柱に取り付けられた主部材（一次部材）に対して摺動できる。
スリップトラック・アセンブリは、コーキングの必要をなくすが、むしろスリップトラックの形状の結果、二次部材を使用して、主部材と、屋根や壁や床のアセンブリのような構造要素との間の防火バリヤを完成させる。
間柱アセンブリと構造要素との間に防火バリヤ連結部を提供するために、スリップトラック・アセンブリを使用する方法は、スリップトラックを構造要素に取り付けるステップ、間柱を、スリップトラックの第１と第３の表面間で摺動するように取り付けると共に、スリップトラックの第１の表面と摺動関係を持つように、主部材を間柱に取り付けるステップ、および構造要素に隣接して主部材と摺動関係を持つように二次部材をスリップトラックの第２の表面に取り付けるステップ、を含む。
本発明は、間柱アセンブリと共に使用される耐火連結ジョイントにも関する。ジョイントは、互いに段違いにされた第１と第２の実質的に平行な表面を含む。このジョイントはまた、第２の表面に固定される耐火性二次部材と、二次部材と摺動関係を持つように成された耐火性主部材とを含む。主部材と二次部材は、互いにオーバーラップするように編成されて構成されるので、主部材と二次部材が相互に対して摺動する時、耐火バリヤが維持される。
かくして本発明は、間柱壁の建設に要求される材料と同一の材料を使用するので、単純で経済的、環境にやさしく、かつ据付けが容易である。
【図面の簡単な説明】
図１は、本発明によるスリップトラック・アセンブリを、プロフィルで示す断面図であり、
図２は、代替実施例を示す断面図であり、
図３〜７は、おおよそに断面で示す更なる代替実施例で、図１と図２の実施例の一般形状に関するバリエーションを示し、
図８は、間柱アセンブリ内に垂直方向に配置された摺動ジョイントの上断面図であり、
図９は、図８のジョイントの斜視図であり、
図１０は、間柱アセンブリと交差構造体との間の耐火性摺動連結部の上断面図であり、
図１１は、間柱アセンブリ内に垂直方向に配置された代替の摺動ジョイントの上断面図であり、
図１２は、壁等の垂直構造体と床アセンブリ等の水平構造体との間で、間柱アセンブリを摺動可能に連結するためのジョイントの側断面図であり、
図１３は、図１２の断面線１３−１３に沿う断面図であり、
図１４は、壁等の垂直構造体と床アセンブリ等の水平構造体との間で、間柱アセンブリを摺動可能に連結するための代替ジョイントの側断面図であり、
図１５は、壁等の垂直構造体と床アセンブリ等の水平構造体との間で、間柱アセンブリを摺動可能に連結するための更なる代替のジョイントの側断面図である。
好ましい実施例の詳細な説明
次に図面を参照して説明するが、幾つかの図面を通じて、同様の参照番号は、同一または対応する部品を示す。より詳細には図１によれば、本発明による好ましいスリップトラック・アセンブリは、全体的に番号１０で表示される。スリップトラック・アセンブリ１０は、屋根等の上部構造体１４に固体されたスリップトラック１２を含む。無負荷支持間柱壁(non-load bearing stud wall)１６は、図示の間柱１８等の複数の間柱と、それに取り付けられた主壁部材（一次壁部材）２０とから形成される。二次壁部材２２は、スリップトラック１２に取り付けられて、上部構造体１４と主壁部材２０との間に延在する。
スリップトラック１２は、単体部材として図１に示される。スリップトラック１２は、適切な任意の長さを持つ。それは金属製であることが好ましい．。スリップトラック１２は、間柱１８の共通する側面上で互いに段違いにされた平行な第１と第２の表面２４、２６を持つ。スリップトラック１２は、間柱１８の反対側の第３と第４の表面２８、３０を含む。間柱１８は、第１と第３の表面２４、２８として識別されたスリップトラック１２の部分の間に受容される．。水平面３２、３４は、第１と第２の表面２４、２６の間と、第３と第４の表面２８、３０の間にそれぞれ延在する。水平面３６は、表面２６、３０の間に延在する。
主壁部材２０は、ねじ３８のような従来の方式で間柱１８に締着される。間柱１８は、通常は金属柱だが、従来から間柱として使用される木材その他の材料でもよい。主壁部材２０は、通常は石膏ボードだが、特定用途では、必要な防火格付けを持つ他の壁材料でもよい。それに関して、主壁部材２０は、必要な防火格付けを作るために多層の壁材料でもよいことが理解される。間柱１８は、屋根構造１４から距離Ｓ１だけ間隔が空けられている。距離Ｓ１は、通常は約１インチだが、それより大きくてもよい。同様に、主壁部材２０は、水平面３２から距離Ｓ２だけ間隔が空けられている。距離Ｓ２も、一般的にほぼ１インチだが、それより大きくてもよい。間柱１８の反対側の主壁部材、すなわち部材２０も同様に取り付けられる。第１と第３の表面２４、２８は主壁部材と間柱１８との間で摺動関係を持つ。
スリップトラック１２は、ねじ４０その他の通常の取付け機構によって屋根構造体１４に取り付けられる。
二次壁部材２２は、上部構造体１４に隣接する端部４２から、下は主壁部材２０まで、その主壁部材と摺動するようにオーバーラップして延在する。二次壁部材２２は、ねじ４４その他の従来の締着機構によって第２の表面２６に取り付けられる。同様に、二次壁部材２２の反対側の間柱１８の側面の二次壁部材が、スリップトラック１２に取り付けられて図示される。二次壁部材は、主壁部材と類似の材料で作られ、類似の防火格付けを提供するように類似の厚さを持つ。
スリップトラック・アセンブリ１２は、屋根等の上部構造体に隣接して取り付けられる必要がある。それに関して、部屋の天井は、線４６で示すように、アセンブリ１０のすぐ下に間隔を空けて配置してもよい。床４８も図示される。
使用時には、図１の実施例は、スリップトラック１２を上部構造体１４にねじ４０で取り付けるステップを含む。間柱１８は、床４８に取り付けられたトラック５０と、スリップトラック１２の第１および第３の表面２４、２８との間に従来方法で保持されるか、さもなければ締着される。主壁部材２０は、それが二次壁部材２２と第１および第３の表面２４、２８との間で摺動できる一方、間柱１８も第１と第３の表面２４、２８に対して摺動できるように、間柱１８に取り付けられる。最後に、二次壁部材２２は、第２と第４の表面２６、３０に締着される。二次壁部材２２は、主壁部材２０の上端と上部構造体との間のスペースを覆い、上部構造体１４に取り付けられたスリップトラック構造と間柱壁構造体との間の動きを許すようにする。かくして、上部構造体１４、スリップトラック１２、および二次壁部材２２は、間柱１８と主壁部材２０に対して相互に動くことができる。２つの距離、Ｓ１、Ｓ２は類似の長さを持つ。
第２実施例を図２に示すが、図１と同様の構造は、同様の番号で識別して主要な記号だけを付ける。それに関して、スリップトラック１２’は異なる形状を持ち、その結果、二次壁部材２２’は、主壁部材２０’の内側にくる。その他の点では、第２実施例の構成は、第１実施例と同様である。
スリップトラック１２’は、第２と第４の表面２６’、３０’よりも更に互いに離間した第１と第３の表面２４’、２８’を持つ。水平面３２’、３４’は、第１と第２の表面２４’、２６’の間、および第３と第４の表面２８’、３０’の間に延在する。水平面３６’は、第２と第４の表面２６’、３０’の間に延在し、上部構造体１４’に取り付けられる。二次壁部材２２’は、水平面３２’、３４’と上部構造体１４’との間のスペースを満たす。間柱１８’は、水平面３２’、３４’から距離Ｓ１’だけ間隔が空けられる一方、主壁部材２０’は、上部構造体１４’から距離Ｓ２’だけ間隔が空けられる。このようにして、スリップトラック１２’と、主部材と二次の壁部材２０’、２２’とは、間柱壁と上部構造体との間に防火バリヤを提供するように働く。それと同時に、沈下と膨張のためのスペースが設けられる。
図３〜７の実施例は、可能な更なるバリエーション示す。図３で一対のスリップトラック５２を示すが、各トラックは、上部構造体に取り付けられる水平面５６まで延在する単一の垂直面５４を持つ。間柱は第１の表面５８と表面５４との間に受容される．。二次壁部材６０は、二重層で示され、第２の表面５３に取り付けられて、スリップトラック５２とビーム６２を超えて屋根６４まで延在する。しかし、スリップトラック・アセンブリ６６は、スリップトラック・アセンブリ１０、１０’と同様に機能する。スリップトラック・アセンブリと、それに関連する構造との鏡像を、図３の左側に示す。しかしながら、このような鏡像構造は、特定施設の構造にもよるが、必ずしも必要としない。
図４のスリップトラック・アセンブリ６８は、主壁部材２０の一方がスペーサ７０によって間柱１８から間隔が空けられていること以外、スリップトラック・アセンブリ１０と同様である。主壁部材２０と二次壁部材２２とは、互いにオーバーラップして摺動する状態にあるが、主壁部材２０は第１表面２４と接触していない。
図５〜７に示すスリップトラックの実施例は、スリップトラックが必ずしも単体でないことを示す。図５に関しては、第３の表面７２が、Ｌ形ピースの一方の脚を逆Ｕ字形部材７５に、ねじ止め、リベット、溶接、またはその他の方法で締着することによって形成される。同様の結果が、図６で示す一方の側で達成される。図７に関しては、図２の逆のプロフィルが、水平面８２から反対方向に延びるオフセット平行面７８、８０を持つ部材７６を用いて得られる。平行面の一方、例えば表面８０が逆Ｕ字形部材８４に締着される。
更に注目されることだが、本発明のスリップトラックを別の構造で、垂直その他の方向に使用することによって、防火バリヤを提供すると共に拡張に備えることもできる。例えば、本発明の原理によるスリップトラック・アセンブリを用いて、防火格付けウォールボードの連続するシート間に、摺動可能な耐火性の垂直または水平継目を提供できる。スリップトラック・アセンブリを用いて、間柱壁と、内部壁や外部壁や床アセンブリ等の従来の構造要素との間に摺動可能な連結部を提供することもできる。上記の使用例は、単に説明的なもので、本発明に対する制限と見做すべきでないことは言うまでもない。
図８と図９は、摺動可能な、実質的に垂直な連結ジョイントすなわち継目１１１を示す。継目１１１は、図２のスリップトラックと本質的に同一の構成を持つスリップトラック１１２を組み込む。スリップトラック１１２は、直交部材１１７によって連結されて内部チャンネルを画成する対向脚部１１４、１１６を含む。スリップトラック１１２の脚１１４は、ほぼ横方向のオフセット面１３２によって互いに段違いにされた、実質的に平行な第１と第２の表面１２４、１２６を含む。脚１１６は、実質的に平行な、ほぼ横方向のオフセット面１３４によって互いに段違いにされた第３と第４の表面１２６、１３０を含む。直交面１３６は第２と第４の表面１２６、１３０の間で横方向に延在する。
図８と図９に示すように、スリップトラック１１２は、間柱壁等の従来の間柱アセンブリ内で実質上垂直方向に整列させられる。スリップトラック１１２は、間柱壁の間柱１１８間に、それとほぼ平行に取り付けられる。間柱はＣ形断面を持つスチール間柱１１８として示される。スリップトラック１１２を使って、第１の対の主ウォールボード部材１００を第２の対の主ウォールボード部材１０２に伸縮式に、摺動可能に連結する。主ウォールボード部材１００、１０２は、ねじ１１９等の従来技術によって壁の間柱１１８に連結されることは言うまでもない。
取付け状態で、摺動トラック１１２は、第１と第２の対の主ウォールボード部材１００、１０２の端部間の隙間１０４に沿って垂直方向に整列させられる。二次ウォールボード部材１０６は、主ウォールボード部材１００、１０２とトラック１１２の第２および第４の表面１２６、１３０との間に捕捉される。オフセット面１３２、１３４と共に、第２と第４の表面１２６、１３０は、二次ウォールボード１０６を受容するための肩部を形成する。主ウォールボード１００、１０２の端部は、隙間１０４が二次部材１０６によって閉じられるように、二次ウォールボード部材１０６の端部にオーバーラップする。第１の対の主ウォールボード１００は、トラック１１２の第１と第３の表面１２４、１２８を通ってねじ込まれるねじ１０８等のコネクタによってトラック１１２に連結されるのが好ましい。同様に、二次ウォールボード１０６は、トラック１１２の第２と第４の表面１２６、１３０を通ってねじ込まれるねじ１１０等のコネクタによって、トラック１１２に連結される。
第２の対の主ウォールボード１０２は、二次ウォールボード部材１０６に摺動可能に係合する。かくして、第１の対の主ウォールボード１００と第２の対の主ウォールボード１０２とは互いに自由に摺動する。この動きは通常、建物の動きから生じる。第１の対の主ウォールボード１００と第２の対の主ウォールボード１０２とが互いに相対的に動くと、隙間１０４は広がるか、あるいは狭くなる。二次ウォールボード１０６と主ウォールボード１００、１０２との間のオーバーラップは、限られた範囲の相互の動きを主ウォールボード１００、１０２に与えながら、主ウォールボード１００、１０２間の耐火シールを維持するように機能する。
図１０は、間柱壁等の間柱アセンブリと壁等の交差構造体１４０の間の摺動可能な耐火性連結ジョイント１３９を示す。図８、９の継目と同様、ジョイントは摺動トラック１１２が組み込まれる。トラック１１２は、トラック１１２の直交部材１１７を通して交差構造体１４０にねじ込まれるねじ１４２等の従来の連結技術によって、交差構造体１４０に垂直方向に連結されるのが好ましい。図８、図９に関して説明したように、二次ウォールボード部材１０６は、ねじ１１０等の従来技術によってトラック１１２の第２と第４の表面１２６、１３０に固定される。間柱壁は、二次部材１０６が主ウォールボード１４２とトラック１１２の第２および第４の表面１２６、１３０との間で捕捉されるように、二次ウォールボード部材１０６にオーバーラップする端部を持つ主ウォールボード１４２を含む。隙間１４４が、主ウォールボード１４２の端部と交差構造体１４０との間に形成されて、沈下等の建物の動きに応じて主ウォールボード１４２が動けるスペースを提供する。二次ウォールボード部材１０６は、交差構造体１４０に当接して、隙間１４４を閉じる耐火バリヤを提供する。主ウォールボード部材１４２は、二次ウォールボード部材１０６が主ウォールボード１４２の動きを妨げないように、二次ウォールボード部材１０６と摺動的に係合する。
図１１は、図１のスリップトラックと本質的に同一の構成を持つスリップトラック１１２’を組み込んだ、摺動可能で、実質的に垂直な連結ジョイントすなわち継目１１１’を示す。スリップトラック１１２’は、直交部材１１７’によって連結されて内部チャネルを画成する対向脚部１１４’、１１６’を含む。スリップトラック１１２’の脚１１４’は、ほぼ横方向のオフセット面１３２’によって互いに段違いにされた、実質的に平行な第１と第２の表面１２４’、１２６’を含む。脚１１６’は、実質的に平行な、ほぼ横方向のオフセット面１３４’によって互いに段違いにされた第３と第４の表面１２６’、１３０’を含む。
連結ジョイント１１１’は、図８、図９の連結ジョイント１１１に類似した方式で整列、構成される。スリップトラック１１２’は、第１と第２の対の主ウォールボード１００’、１０２’間の間柱壁内に位置決めされるのが好ましい．。スリップトラック１１２’は、主ウォールボード１００’、１０２’の端部間に画成される隙間１０４’に沿って整列される。主ウォールボード１００’、１０２’の端部は二次ウォールボード１０６’にオーバーラップする。第１対の主ウォールボード１００’、二次ウォールボード１０６’、およびトラック１１２’の第２と第４の表面１２６’、１３０’は、ねじ１０９の使用によって互いに堅固に保持されるのが好ましい．。第２の対の主ウォールボード１０２’は、第１と第２の対の主ウォールボード１００’、１０２’が相互に動けるように、二次ウォールボード１０６’とトラック１１２’の第１および第３の表面１２４’、１２８’とを摺動可能に係合する。主ウォールボード１００’、１０２’と二次ウォールボード１０６’との間のオーバーラップは、主ウォールボード１００’１０２’が相互に動いたときに、耐火バリヤを維持する。
図１２は、床構造２１３等の構造要素と耐火スタッドバリヤアセンブリ間の摺動可能な耐火性連結ジョイント２１１を示す。耐火スタッドバリヤアセンブリは、床構造２１３と壁２０５との間に実質的に水平なブリッジを形成する。連結ジョイント２１１は、図１のスライドトラックと本質的に同一の構造を持つスライドトラック２１２を組み込む。基本的には、スライドトラック２１２は、直交部材２１９によって連結されてバリヤアセンブリのスタッド２１８を摺動可能に受容するためのチャネルを画成する対向脚部２１５、２１９を含む。
連結ジョイント２１１は、スライドトラック２１２が回転されてねじ２４０等の従来手段によって上部構造体ではなく床構造２１３の側面に固定されることを除き、図１の連結部と本質的に同一の構造を持つ。スタッド２１８は、Ｃ形断面を持ち、床構造体２１３と壁２０５との間に水平方向に整列されることが望ましい。主ウォールボード２２０は間柱２１８の両側に連結される。
各間柱２１８の一端は従来のＵ字型トラック２５０によって壁２０５に連結されるのが好ましい．。スタッド２１８の他端は、トラック２１２によって画成されたチャネルに摺動可能に挿入される。クリップ２４３を用いて、スタッド２１８が水平方向に自由に摺動するが垂直方向の動きは制限されるように、スタッド２１８をトラック２１２に摺動的に連結する。図１３に示すように、クリップ２４３は、スタッド２１８の短フランジ２４７を受容、保持、および摺動的に係合するためのノッチ２４５を持つ。クリップ２４３の第１延長部２４９は、好ましくはねじであって、トラック２１２の脚部２１５、２１７に固定される。クリップ２４３の第２延長部２５１はスタッド２１８の内部に係合する。
トラック２１２の脚２１５は、横部材２３２によって互いに段違いにされた、平行な第１と第２の表面２２４、２２６を含む。同様に、トラック２１２の脚２１７は、横部材２３４によって互いに段違いにされた、平行な第３と第４の表面２２８、２３０を含む。二次ウォールボード部材２２２は、ねじ２４４等の従来の連結技術によって第２と第４の表面２２６、２３０に連結される。二次ウォールボード部材２２２は、主ウォールボード部材２２０にオーバーラップして摺動的に係合すると共に、床構造体２１３にも当接する。隙間２０１が主ウォールボード部材２２０の端部と横部材２３２、２３４との間に存在して、主ウォールボード２２０が二次ウォールボード２２２に対して水平方向に動くスペースを提供する。オーバーラップは、二次ウォールボード２２２と主ウォールボード２２０とが互いに水平方向に摺動するときに、耐火バリヤを維持する。
図１４は、スタッド２１８’と主（一次）ウォールボード２２０’とで構成された耐火バリヤに床構造体２１３’を摺動的に連結する別の連結ジョイント２１１’を示す。ジョイント２１１’は、図２のトラックと本質的に同一の構造を持つ。トラック２１２’はねじ２４０’等の従来手段によって床２１３’の側面に連結されることが望ましい。トラック２１２’は、直交部材２１９’によって分離された、対向する第１と第２の脚部２１５’、２１７’を含む。第１の脚２１５’は、平行な、横面２３２’によって段違いにされた第１と第２の表面２２４’、２２６’を含む。第２の脚２１７’は、平行な、横部材２３４’によって段違いにされた第３と第４の表面２２８’、２３０’を含む。
トラック２１２’は、先に本明細書中で記載したように、クリップ２４３’によってバリヤのスタッド２１８’に連結される。二次ウォールボード部材２２２’は、床構造体２１３’に当接すると共に、ねじ２４４’によってトラック２１２’の第２と第４表面２２６’、２３０’に連結される。主ウォールボード２２０’は二次ウォールボード２２２’にオーバーラップして、摺動可能な耐火性連結部を提供する。隙間２０１’が二次ウォールボード部材２２０’の端部と床構造体２１３’の間に在って、主ウォールボード２２０’が二次ウォールボード２２２’に対して水平方向に動くスペースを提供する。
図１５は、スタッド３１８と主ウォールボード３２０、３２１とで構成された耐火バリヤに床構造体３１３を摺動的に連結する別の連結ジョイント３１１を示す。ジョイント３１１は、ねじ３４０等の従来手段によって床構造体３１３に連結されるのが好ましいトラック３１２を含む。トラック３１２は、直交部材３１９によって分離された対向する第１と第２脚部３１５、３１７を含む。第１脚３１５は、平行な、横面３３２によって段違いにされた第１と第２表面３２４、３２６を含む。第２脚３１７は、平行な、横面３３４によって段違いにされた第３と第４表面３２８、３３０を含む。
トラック３１２は、先に本明細書中で記載したように、クリップ３４３によってバリヤのスタッド３１８に連結される。二次ウォールボード部材３２２は、ねじ３４４等の手段によってトラック３１２の第２表面３２６に連結される。二次ウォールボード部材３２２は床構造体３１３に当接すると共に主ウォールボード３２０にオーバーラップして、摺動可能な耐火バリヤを提供する。隙間３０１が主ウォールボード部材３２０の端部とトラック３１２の横面３３２の間に在って、主ウォールボード３２０が二次ウォールボード３２２に対して水平方向に動くスペースを提供する。同様に、二次ウォールボード部材３２３は、ねじ３４５等の手段によってトラック３１２の第４表面３３０に連結される。二次ウォールボード部材３２３は床構造３１３に当接すると共に主ウォールボード部材３２１によってオーバーラップされて、摺動可能な耐火バリヤを提供する。隙間３０２が主ウォールボード部材３２１と床構造体３１３の間に在って、主ウォールボード３２１が二次ウォールボード３２３に対して水平方向に動くスペースを提供する。
かくして、本発明は、間柱壁と、屋根や内外壁や床構造体等の構造要素との間の動きに備えた防火バリヤを達成する。スリップトラック・アセンブリは伸縮式に働く。このようにして、圧縮されて硬化や破壊を受ける可能性のあるような材料は存在しない。スリップトラック・アセンブリは、適切な防火格付けに備えた材料を使って構成できる。アセンブリはその後、材料の寿命の間、希望の防火を維持する。
このように、構造や機能の詳細と共に、本発明の数々の特性と利点を記載した。しかしながら、本開示は単に説明的なものであることは言うまでもない。従って、特に形状、寸法、配置に関してなされる変更は、付帯する請求項が表現される用語の一般的意味によって解釈される限り、本発明の原理の範疇にある。
【図１】
0003827330.tif 000002
【図２】
0003827330.tif 000003
【図３】
0003827330.tif 000004
【図４】
0003827330.tif 000005
【図５】
0003827330.tif 000006
【図６】
0003827330.tif 000007
【図７】
0003827330.tif 000008
【図８】
0003827330.tif 000009
【図９】
0003827330.tif 000010
【図１０】
0003827330.tif 000011
【図１１】
0003827330.tif 000012
【図１２Ａ】
0003827330.tif 000013
【図１２Ｂ】
0003827330.tif 000014
【図１３】
0003827330.tif 000015
【図１４Ａ】
0003827330.tif 000016
【図１４Ｂ】
0003827330.tif 000017
【図１５Ａ】
0003827330.tif 000018
【図１５Ｂ】
0003827330.tif 000019